(57)【特許請求の範囲】
【請求項１】
無線デバイスによる無線通信の方法であって、
ピア発見のために利用可能なリソースを決定することと、ここで、これらリソースは、第１の時間インタバルを持つ第１のピア発見リソースと、前記第１の時間インタバルよりも短い第２の時間インタバルを持つ第２のピア発見リソースとを備える、
前記第１のピア発見リソースのうちのピア発見リソースの第１のサブセット、および前記第２のピア発見リソースのうちのピア発見リソースの第２のサブセットを介してピア発見信号を通信することと、ここで、前記ピア発見リソースの第２のサブセットは、前記ピア発見リソースの第１のサブセットよりも少ないリソース要素を備える、
を備える方法。
【請求項２】
前記第１のピア発見リソースは、ピア発見リソース識別子（ＰＤＲＩＤ）に関連付けられた第１のリソースを備え、
前記第２のピア発見リソースは、前記第１のリソースが関連付けられた前記ＰＤＲＩＤの数と同じ数のＰＤＲＩＤに関連付けられた第２のリソースを備え、
前記ピア発見リソースの第１のサブセット、および前記ピア発見リソースの第２のサブセットは、前記ＰＤＲＩＤのうちの１つのＰＤＲＩＤに関連付けられる、請求項１に記載の方法。
【請求項３】
前記ピア発見リソースの第２のサブセットを利用するデータは、前記ピア発見リソースの第１のサブセットを利用するデータよりも高いデータ・レートで通信される、請求項１に記載の方法。
【請求項４】
符号化されたピア発見データを、前記ピア発見リソースの第１のサブセットにおける送信のために、第１の変調スキームを用いて変調し、符号化されたピア発見データを、前記ピア発見リソースの第２のサブセットにおける送信のために、第２の変調スキームを用いて変調することをさらに備え、
前記第１の変調スキームは、前記第２の変調スキームよりも低いデータ・レートを有する、請求項３に記載の方法。
【請求項５】
ピア発見データを、符号化されたピア発見データへ符号化することと、
前記符号化されたデータの第１の数のビットを、前記ピア発見リソースの第１のサブセットにおける送信のためにパンクチャすることと、
前記符号化されたデータからの第２の数のビットを、前記ピア発見リソースの第２のサブセットにおける送信のためにパンクチャすることと、をさらに備え、
前記ビットの第１の数は、前記第２の数よりも少ない、請求項１に記載の方法。
【請求項６】
前記パンクチャされた符号化されたデータを、前記ピア発見リソースの第１のサブセットにおける送信のために、第１の変調スキームを用いて、第１の数のリソース要素へマップすることと、
前記パンクチャされた符号化されたデータを、前記ピア発見リソースの第２のサブセットにおける送信のために、第２の変調スキームを用いて、前記第１の数よりも少ない第２の数のリソース要素へマップすることと、をさらに備え、
前記第２の変調スキームは、前記第１の変調スキームよりも高いデータ・レートを有する、請求項５に記載の方法。
【請求項７】
前記第１のピア発見リソースおよび前記第２のピア発見リソースは、複数のマクロ・ブロックを備え、
前記マクロ・ブロックのおのおのは、同じ数のサブキャリアと、同じ数のブロックとを備える、請求項１に記載の方法。
【請求項８】
前記第１のピア発見リソースは、前記第２のピア発見リソースよりも多くのマクロ・ブロックを備える、請求項７に記載の方法。
【請求項９】
前記第１のピア発見リソースのマクロ・ブロックにおけるブロックのおのおのは、前記第２のピア発見リソースのマクロ・ブロックにおけるブロックのおのおのよりも多くのリソース要素を備える、請求項７に記載の方法。
【請求項１０】
無線通信のための装置であって、
ピア発見のために利用可能なリソースを決定する手段と、ここで、これらリソースは、第１の時間インタバルを持つ第１のピア発見リソースと、前記第１の時間インタバルよりも短い第２の時間インタバルを持つ第２のピア発見リソースとを備える、
前記第１のピア発見リソースのうちのピア発見リソースの第１のサブセット、および前記第２のピア発見リソースのうちのピア発見リソースの第２のサブセットを介してピア発見信号を通信する手段と、ここで、前記ピア発見リソースの第２のサブセットは、前記ピア発見リソースの第１のサブセットよりも少ないリソース要素を備える、
を備える装置。
【請求項１１】
前記第１のピア発見リソースは、ピア発見リソース識別子（ＰＤＲＩＤ）に関連付けられた第１のリソースを備え、
前記第２のピア発見リソースは、前記第１のリソースが関連付けられた前記ＰＤＲＩＤの数と同じ数のＰＤＲＩＤに関連付けられた第２のリソースを備え、
前記ピア発見リソースの第１のサブセット、および前記ピア発見リソースの第２のサブセットは、前記ＰＤＲＩＤのうちの１つのＰＤＲＩＤに関連付けられる、請求項１０に記載の装置。
【請求項１２】
前記ピア発見リソースの第２のサブセットを利用するデータは、前記ピア発見リソースの第１のサブセットを利用するデータよりも高いデータ・レートで通信される、請求項１０に記載の装置。
【請求項１３】
符号化されたピア発見データを、前記ピア発見リソースの第１のサブセットにおける送信のために、第１の変調スキームを用いて変調し、符号化されたピア発見データを、前記ピア発見リソースの第２のサブセットにおける送信のために、第２の変調スキームを用いて変調する手段をさらに備え、
前記第１の変調スキームは、前記第２の変調スキームよりも低いデータ・レートを有する、請求項１２に記載の装置。
【請求項１４】
ピア発見データを、符号化されたピア発見データへ符号化する手段と、
前記符号化されたデータの第１の数のビットを、前記ピア発見リソースの第１のサブセットにおける送信のためにパンクチャする手段と、
前記符号化されたデータからの第２の数のビットを、前記ピア発見リソースの第２のサブセットにおける送信のためにパンクチャする手段と、をさらに備え、
前記ビットの第１の数は、前記第２の数よりも少ない、請求項１０に記載の装置。
【請求項１５】
前記パンクチャされた符号化されたデータを、前記ピア発見リソースの第１のサブセットにおける送信のために、第１の変調スキームを用いて、第１の数のリソース要素へマップする手段と、
前記パンクチャされた符号化されたデータを、前記ピア発見リソースの第２のサブセットにおける送信のために、第２の変調スキームを用いて、前記第１の数よりも少ない第２の数のリソース要素へマップする手段と、をさらに備え、
前記第２の変調スキームは、前記第１の変調スキームよりも高いデータ・レートを有する、請求項１４に記載の装置。
【請求項１６】
前記第１のピア発見リソースおよび前記第２のピア発見リソースは、複数のマクロ・ブロックを備え、
前記マクロ・ブロックのおのおのは、同じ数のサブキャリアと、同じ数のブロックとを備える、請求項１０に記載の装置。
【請求項１７】
前記第１のピア発見リソースは、前記第２のピア発見リソースよりも多くのマクロ・ブロックを備える、請求項１６に記載の装置。
【請求項１８】
前記第１のピア発見リソースのマクロ・ブロックにおけるブロックのおのおのは、前記第２のピア発見リソースのマクロ・ブロックにおけるブロックのおのおのよりも多くのリソース要素を備える、請求項１６に記載の装置。
【請求項１９】
無線通信のための装置であって、
ピア発見のために利用可能なリソースを決定し、ここで、これらリソースは、第１の時間インタバルを持つ第１のピア発見リソースと、前記第１の時間インタバルよりも短い第２の時間インタバルを持つ第２のピア発見リソースとを備える、
前記第１のピア発見リソースのうちのピア発見リソースの第１のサブセット、および前記第２のピア発見リソースのうちのピア発見リソースの第２のサブセットを介してピア発見信号を通信し、ここで、前記ピア発見リソースの第２のサブセットは、前記ピア発見リソースの第１のサブセットよりも少ないリソース要素を備える、
ように構成された処理システムを備える、装置。
【請求項２０】
前記第１のピア発見リソースは、ピア発見リソース識別子（ＰＤＲＩＤ）に関連付けられた第１のリソースを備え、
前記第２のピア発見リソースは、前記第１のリソースが関連付けられた前記ＰＤＲＩＤの数と同じ数のＰＤＲＩＤに関連付けられた第２のリソースを備え、
前記ピア発見リソースの第１のサブセット、および前記ピア発見リソースの第２のサブセットは、前記ＰＤＲＩＤのうちの１つのＰＤＲＩＤに関連付けられる、請求項１９に記載の装置。
【請求項２１】
前記ピア発見リソースの第２のサブセットを利用するデータは、前記ピア発見リソースの第１のサブセットを利用するデータよりも高いデータ・レートで通信される、請求項１９に記載の装置。
【請求項２２】
前記処理システムはさらに、符号化されたピア発見データを、前記ピア発見リソースの第１のサブセットにおける送信のために、第１の変調スキームを用いて変調し、符号化されたピア発見データを、前記ピア発見リソースの第２のサブセットにおける送信のために、第２の変調スキームを用いて変調するように構成され、
前記第１の変調スキームは、前記第２の変調スキームよりも低いデータ・レートを有する、請求項２１に記載の装置。
【請求項２３】
前記処理システムはさらに、
ピア発見データを、符号化されたピア発見データへ符号化し、
前記符号化されたデータの第１の数のビットを、前記ピア発見リソースの第１のサブセットにおける送信のためにパンクチャし、
前記符号化されたデータからの第２の数のビットを、前記ピア発見リソースの第２のサブセットにおける送信のためにパンクチャする、ように構成され、
前記ビットの第１の数は、前記第２の数よりも少ない、請求項１９に記載の装置。
【請求項２４】
前記処理システムはさらに、
前記パンクチャされた符号化されたデータを、前記ピア発見リソースの第１のサブセットにおける送信のために、第１の変調スキームを用いて、第１の数のリソース要素へマップし、
前記パンクチャされた符号化されたデータを、前記ピア発見リソースの第２のサブセットにおける送信のために、第２の変調スキームを用いて、前記第１の数よりも少ない第２の数のリソース要素へマップする、ように構成され、
前記第２の変調スキームは、前記第１の変調スキームよりも高いデータ・レートを有する、請求項２３に記載の装置。
【請求項２５】
前記第１のピア発見リソースおよび前記第２のピア発見リソースは、複数のマクロ・ブロックを備え、
前記マクロ・ブロックのおのおのは、同じ数のサブキャリアと、同じ数のブロックとを備える、請求項１９に記載の装置。
【請求項２６】
前記第１のピア発見リソースは、前記第２のピア発見リソースよりも多くのマクロ・ブロックを備える、請求項２５に記載の装置。
【請求項２７】
前記第１のピア発見リソースのマクロ・ブロックにおけるブロックのおのおのは、前記第２のピア発見リソースのマクロ・ブロックにおけるブロックのおのおのよりも多くのリソース要素を備える、請求項２５に記載の装置。
【発明の詳細な説明】
【技術分野】
【０００１】
本開示は、一般に、通信システムに関し、さらに詳しくは、ピア・トゥ・ピア・ネットワークにおける適応的なリソース多重化に関する。
【背景技術】
【０００２】
無線広域ネットワーク（ＷＷＡＮ）では、無線デバイスとサービス提供基地局との間のすべての通信が、無線デバイスとサービス提供基地局との間のアップリンク／ダウンリンク・チャネルを介する。通信している２つの無線デバイスが互いの近傍に位置する場合、これら２つの無線デバイスは、基地局を介さずに、ダイレクトに通信しうる。このようなダイレクトなピア・トゥ・ピア通信によって、新たなタイプのサービスが可能となり、基地局におけるトラフィック負荷を低減しうる。
【０００３】
ピア・トゥ・ピア通信を可能にするために、互いの近傍に位置する無線デバイスは、ピア発見信号を送信することによって、ピア発見に定期的に参加しうる。
【０００４】
ＷＷＷシステムにおいてピア発見を可能にする方法が必要とされる。
【発明の概要】
【０００５】
本開示の態様では、無線通信の方法は、ピア発見のために利用可能なリソースを決定することを含む。これらリソースは、第１の時間インタバルを持つ第１のピア発見リソースと、第１の時間インタバルよりも短い第２の時間インタバルを持つ第２のピア発見リソースと、を含む。この方法はさらに、第１のピア発見リソースのうちのピア発見リソースの第１のサブセットと、第２のピア発見リソースのうちのピア発見リソースの第２のサブセットとによってピア発見信号を通信すること、を含む。ピア発見リソースの第２のサブセットは、ピア発見リソースの第１のサブセットよりも少ないリソース要素を含む。
【０００６】
本開示の態様では、無線通信のための装置は、ピア発見のために利用可能なリソースを決定する手段を含む。これらリソースは、第１の時間インタバルを持つ第１のピア発見リソースと、第１の時間インタバルよりも短い第２の時間インタバルを持つ第２のピア発見リソースと、を含む。この装置はさらに、第１のピア発見リソースのうちのピア発見リソースの第１のサブセットと、第２のピア発見リソースのうちのピア発見リソースの第２のサブセットとによってピア発見信号を通信する手段、を含む。ピア発見リソースの第２のサブセットは、ピア発見リソースの第１のサブセットよりも少ないリソース要素を含む。
【０００７】
本開示のさらなる態様では、コンピュータ・プログラム製品が、コンピュータ読取可能な媒体を含む。コンピュータ読取可能な媒体は、ピア発見のために利用可能なリソースを決定するためのコードを含む。これらリソースは、第１の時間インタバルを持つ第１のピア発見リソースと、第１の時間インタバルよりも短い第２の時間インタバルを持つ第２のピア発見リソースと、を含む。コンピュータ読取可能な媒体はさらに、第１のピア発見リソースのうちのピア発見リソースの第１のサブセットと、第２のピア発見リソースのうちのピア発見リソースの第２のサブセットとによってピア発見信号を通信するためのコード、を含む。ピア発見リソースの第２のサブセットは、ピア発見リソースの第１のサブセットよりも少ないリソース要素を含む。
【０００８】
本開示の態様では、無線通信のための装置が、処理システムを含んでいる。処理システムは、ピア発見のために利用可能なリソースを決定するように構成される。これらリソースは、第１の時間インタバルを持つ第１のピア発見リソースと、第１の時間インタバルよりも短い第２の時間インタバルを持つ第２のピア発見リソースと、を含む。処理システムはさらに、第１のピア発見リソースのうちのピア発見リソースの第１のサブセットと、第２のピア発見リソースのうちのピア発見リソースの第２のサブセットとによってピア発見信号を通信するように構成される。ピア発見リソースの第２のサブセットは、ピア発見リソースの第１のサブセットよりも少ないリソース要素を含む。
【図面の簡単な説明】
【０００９】
【図１】図１は、処理システムを適用する装置のためのハードウェア実装の例を例示する図解である。
【図２】図２は、無線ピア・トゥ・ピア通信システムの図解である。
【図３】図３は、無線デバイス間のピア・トゥ・ピア通信のための典型的な時間構造を例示する図解である。
【図４】図４は、１つのグランドフレームにおけるスーパフレームの各フレームにおけるチャネルを例示する図解である。
【図５】図５は、ピア発見チャネルのミソレニアス・チャネルおよび構造の動作タイムラインを例示する図解である。
【図６】図６は、典型的なアップリンクＷＷＡＮリソースを例示する図解である。
【図７】図７は、ピア発見チャネルの典型的な構造を例示する図解である。
【図８】図８は、ピア発見チャネルの典型的な構造を例示する別の図解である。
【図９】図９は、典型的な方法を例示する図解である。
【図１０】図１０は、無線通信の方法のフロー・チャートである。
【図１１】図１１は、典型的な装置の機能を例示する概念ブロック図である。
【発明を実施するための形態】
【００１０】
添付図面とともに以下に説明する詳細説明は、さまざまな構成の説明として意図されており、本明細書に記載された概念が実現される唯一の構成を示すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１１】
通信システムのいくつかの態様が、さまざまな装置および方法に対する参照を用いて表される。これらの装置および方法は、さまざまなブロック、モジュール、構成要素、回路、ステップ、処理、アルゴリズム等（集合的に「要素」と称される）によって、後述する詳細説明に記述されており、添付図面に例示される。これらの要素は、電子ハードウェア、コンピュータ・ソフトウェア、またはこれら任意の組み合わせを用いて実現されうる。これらの要素がハードウェアとしてまたはソフトウェアとして実現されるかは、特定のアプリケーションおよびシステム全体に課せられている設計制約に依存する。
【００１２】
例として、要素、要素の任意の部分、または、要素の任意の組み合わせは、１または複数のプロセッサを含む「処理システム」を用いて実現されうる。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、ステート・マシン、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。ソフトウェアは、コンピュータ読取可能な媒体上に存在しうる。コンピュータ読取可能な媒体は、非一時的なコンピュータ読取可能な媒体でありうる。非一時的なコンピュータ読取可能な媒体は、例によれば、磁気記憶デバイス（例えばハード・ディスク、フロッピー（登録商標）ディスク、磁気ストリップ等）、光ディスク（例えば、コンパクト・ディスク（ＣＤ）、デジタル多用途ディスク（ＤＶＤ）等）、スマート・カード、フラッシュ・メモリ・デバイス（例えば、カード、スティック、キー・ドライブ）、ランダム・アクセス・メモリ（ＲＡＭ）、読取専用メモリ（ＲＯＭ）、プログラマブルＲＯＭ（ＰＲＯＭ）、消去可能ＰＲＯＭ（ＥＰＲＯＭ）、電子的消去可能ＰＲＯＭ（ＥＥＰＲＯＭ）、レジスタ、リムーバブル・ディスク、および、コンピュータによってアクセスされうる命令群および／またはソフトウェアを格納するためのその他任意の適切な媒体を含みうる。コンピュータ読取可能な媒体は、処理システムの内部に存在しうるか、処理システムの外部に存在するか、処理システムを含む複数のエンティティにわたって分散されうる。コンピュータ読取可能な媒体は、コンピュータ・プログラム製品内に組み込まれうる。例によれば、コンピュータ・プログラム製品は、パッケージング・マテリアル内にコンピュータ読取可能な媒体を含みうる。
【００１３】
したがって、１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして符号化されうる。コンピュータ読取可能な媒体は、コンピュータ記憶媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようにディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、Ｂｌｕ−ｒａｙ（登録商標）ディスク（ｄｉｓｃ）を含む。ここで、ｄｉｓｋは通常、データを磁気的に再生し、ｄｉｓｃは、レーザを用いてデータを光学的に再生する。前述した組み合わせもまた、コンピュータ読取可能な媒体の範囲内に含まれるべきである。当業者であれば、システム全体に課せられる全体的な設計制約および特定のアプリケーションに依存して、本開示の全体にわたって示されている機能を、どうやって最良に実施するかを認識するだろう。
【００１４】
図１は、処理システム１１４を適用する装置１００のためのハードウェア実装の例を例示する概念図である。処理システム１１４は、一般にバス１０２によって表されるバス・アーキテクチャを用いて実現されうる。バス１０２は、全体的な設計制約および処理システム１１４の特定のアプリケーションに依存して、任意の数の相互接続バスおよびブリッジを含みうる。バス１０２は、一般にプロセッサ１０４によって表される１または複数のプロセッサおよび／またはハードウェア・モジュールと、一般にコンピュータ読取可能な媒体１０６によって表されるコンピュータ読取可能な媒体を含むさまざまな回路を共に接続する。バス１０２はさらに、例えば、タイミング・ソース、周辺機器、電圧制御装置、および電力管理回路のようなその他さまざまな回路をリンクしうる。これらは、当該技術分野で良く知られているので、さらなる説明はしない。バス・インタフェース１０８は、バス１０２とトランシーバ１１０との間にインタフェースを提供する。トランシーバ１１０は、送信媒体を介してその他さまざまな装置と通信するための手段を提供する。
【００１５】
プロセッサ１０４は、バス１０２の管理、および、コンピュータ読取可能な媒体１０６に格納されたソフトウェアの実行を含む一般的な処理を担当する。ソフトウェアは、プロセッサ１０４によって実行された場合、処理システム１１４に対して、特定の装置のために記載されたさまざまな機能を実行させる。コンピュータ読取可能な媒体１０６はまた、ソフトウェアが実行されている場合に、プロセッサ１０４によって操作されるデータを格納するためにも使用されうる。
【００１６】
図２は、典型的なピア・トゥ・ピア通信システム２００の図解である。ピア・トゥ・ピア通信システム２００は、複数の無線デバイス２０６，２０８，２１０，２１２を含んでいる。ピア・トゥ・ピア通信システム２００は、例えばＷＷＡＮのようなセルラ通信システムとオーバラップしうる。無線デバイス２０６，２０８，２１０，２１２のうちのいくつかは、ピア・トゥ・ピア通信でともに通信しうる。いくつかは、基地局２０４と通信しうる。また、いくつかは、これら両方を行いうる。例えば、図２に図示されるように、無線デバイス２０６，２０８が、ピア・トゥ・ピア通信をしており、無線デバイス２１０，２１２が、ピア・トゥ・ピア通信をしている。無線デバイス２１２は、基地局２０４とも通信している。
【００１７】
無線デバイスはまた、当業者によって、ユーザ機器、移動局、加入者局、モバイル・ユニット、加入者ユニット、無線ユニット、無線ノード、遠隔ユニット、モバイル・デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。基地局はまた、当業者によって、アクセス・ポイント、基地トランシーバ局、ラジオ基地局、ラジオ・トランシーバ、トランシーバ機能、基本サービス・セット（ＢＳＳ）、拡張サービス・セット（ＥＳＳ）、ノードＢ、イボルブド・ノードＢ、またはその他いくつかの適切な用語で称されうる。
【００１８】
以下に説明される典型的な方法および装置は、例えば、ＩＥＥＥ  ８０２．１１規格に基づく、ＦｌａｓｈＬｉｎＱ、ＷｉＭｅｄｉａ、ブルートゥース、ＺｉｇＢｅｅ、またはＷｉＦｉに基づく無線ピア・ツー・ピア通信システムのようなさまざまな無線ピア・トゥ・ピア通信システムのいずれかに適用可能である。説明を単純化するために、典型的な方法および装置が、ＦｌａｓｈＬｉｎＱのコンテキストで説明される。しかしながら、当業者であれば、これら典型的な方法および装置は、その他さまざまな無線ピア・トゥ・ピア通信システムに、より一般的に適用可能であることを理解するだろう。
【００１９】
図３は、無線デバイス１００間のピア・トゥ・ピア通信のための典型的な時間構造を例示する図解３００である。ウルトラフレームは５１２秒であり、６４のメガフレームを含んでいる。各メガフレームは８秒であり、８つのグランドフレームを含んでいる。各グランドフレームは１秒であり、１５のスーパフレームを含んでいる。各スーパフレームは、約６６．６７ミリ秒であり、３２のフレームを含んでいる。各フレームは２．０８３３ミリ秒である。
【００２０】
図４は、１つのグランドフレームにおけるスーパフレームの各フレームにおけるチャネルを例示する図解３１０である。第１のスーパフレーム（インデクス０）では、フレーム０が予約チャネル（ＲＣＨ）であり、フレーム１−１０がおのおのミソレニアス・チャネル（ＭＣＣＨ）であり、フレーム１１−３１がおのおのトラフィック・チャネル（ＴＣＣＨ）である。第２乃至７のスーパフレーム（インデクス１：６）では、フレーム０がＲＣＨであり、フレーム１−３１がおのおのＴＣＣＨである。第８のスーパフレーム（インデクス７）では、フレーム０がＲＣＨであり、フレーム１−１０がおのおのＭＣＣＨであり、フレーム１１−３１がおのおのＴＣＣＨである。第９乃至１５のスーパフレーム（インデクス８：１４）では、フレーム０がＲＣＨであり、フレーム１−３１がおのおのＴＣＣＨである。スーパフレーム・インデクス０のＭＣＣＨは、２次タイミング同期チャネル、ピア発見チャネル、ピア・ページ・チャネル、および予約スロットを含んでいる。スーパフレーム・インデクス７のＭＣＣＨは、ピア・ページ・チャネルおよび予約スロットを含んでいる。ＴＣＣＨは、接続スケジューリング、パイロット、チャネル品質インジケータ（ＣＱＩ）フィードバック、データ・セグメント、およびアクノレッジメント（ＡＣＫ）を含んでいる。
【００２１】
図５は、ＭＣＣＨの動作スケジュールおよびピア発見チャネルの典型的な構造を例示する図解３２０である。図４に関連して説明したように、スーパフレーム・インデクス０のＭＣＣＨは、２次タイミング同期チャネル、ピア発見チャネル、ピア・ページング・チャネル、および予約スロットを含んでいる。ピア発見チャネルは、サブチャネルに分割されうる。例えば、ピア発見チャネルは、長距離ピア発見チャネル、中距離ピア発見チャネル、短距離ピア発見チャネル、およびその他のチャネルに分割されうる。サブチャネルの各々は、ピア発見情報を通信するための複数のブロック／リソースを含みうる。各ブロックは、同じサブキャリアにおいて、複数の直交周波数分割多重（ＯＦＤＭ）シンボル（例えば、７２のリソース要素）を含みうる。図５は、１つのメガフレームにおいてブロックを含んでいるサブチャネル（例えば、短距離ピア発見チャネル）の例を提供する。これは、グランドフレーム０乃至７のＭＣＣＨスーパフレーム・インデクスを含む。１つのメガフレームは、１つのピア発見バーストと考えられうる。異なるブロックのセットは、異なるピア発見リソース識別子（ＰＤＲＩＤ）に対応する。例えば、１つのＰＤＲＩＤは、メガフレームにおける１つのグランドフレームのＭＣＣＨスーパフレーム・インデクス０におけるブロックのうちの１つに対応しうる。
【００２２】
電源が投入されると、無線デバイスは、ある期間（例えば、２つのメガフレーム）、ピア発見チャネルをリスンし、ＰＤＲＩＤのおのおのにおいて決定されたエネルギに基づいてＰＤＲＩＤを選択する。例えば、無線デバイスは、ウルトラフレームにおける第１のメガフレームにおけるブロック３３２（ｉ＝２およびｊ＝１５）に対応するＰＤＲＩＤを選択しうる。この特定のＰＤＲＩＤは、ホッピングにより、ウルトラフレームのその他のメガフレームにおける別のブロックにマップしうる。選択されたＰＤＲＩＤに関連付けられたブロックでは、無線デバイスが、そのピア発見信号を送信する。選択されたＰＤＲＩＤに関連付けられていないブロックでは、無線デバイスが、他の無線デバイスによって送信されたピア発見信号を求めてリスンする。ピア発見信号は、ユーザが、どの無線デバイスへのピア・トゥ・ピア通信リンクを形成するのかを決定できるようにするためのユニークな表現を含みうる。
【００２３】
図６は典型的なアップリンクＷＷＡＮリソースを例示する図解４００である。図６は、イボリューション・データ・オプティマイズド／オンリー（ＥＶ−ＤＯ）システムのためのアップリンクＷＷＡＮリソースと、特に、ＣＤＭＡ２０００システム内のＥＶ−ＤＯサイレンス・インタバルとを例示する。しかしながら、典型的な方法は、例えば、アップリンクまたはダウンリンクの何れかにおいて予め定義されたサイレント期間を持つシステム、および、例えば、グローバル移動体通信システム（ＧＳＭ（登録商標））、ロング・ターム・イボリューション（ＬＴＥ）時分割デュプレクス（ＴＤＤ）、パーソナル・ハンディ・フォン・システム（ＰＨＳ）、パーソナル・デジタル・セルラ（ＰＤＣ）、デジタル・エンハンスト・コードレス・テレコミュニケーション（ＤＥＣＴ）、および（デジタルＡＭＰＳ（Ｄ−ＡＭＰＳ）として知られている）ＩＳ−５４／ＩＳ−１３６、のような時分割多元接続（ＴＤＭＡ）ベースのシステムのような、その他のシステムにも同様に適用可能である。例えば、典型的な方法は、ＧＳＭシステムまたはＬＴＥ  ＴＤＤシステムにおける特定の時間スロットにおいて利用されうる。（１ｘＥＶ−ＤＯとしてすでに知られている）ＥＶ−ＤＯは、ラジオ信号によるデータの無線送信のためのテレコミュニケーション規格である。ＥＶ−ＤＯは、ＣＤＭＡ２０００規格体系の一部である。ＥＶ−ＤＯは、個々のユーザのスループットとシステム全体のスループットとの両方を最大化するために、例えばＣＤＭＡおよび時分割多元接続（ＴＤＭＡ）のような多重化技術を用いる。ＥＶ−ＤＯチャネルは、１．２５ＭＨｚの帯域幅を有する。ＥＶ−ＤＯシステムでは、５４秒毎に、８０ミリ秒のサイレンス・インタバルがあり、ここでは、基地局がバックグランド干渉および雑音の電力を測定できるようにするために、ＥＶ−ＤＯデバイスは、アップリンクにおける送信を停止するように要求される。定期的な（または反復的な）８０ミリ秒のサイレンス・インタバル４０２は、連続した３つのフレームを含む。これらフレームのおのおのは、約２６．６６ミリ秒（すなわち、８０／３ミリ秒）である。典型的な方法では、基地局は、ピア発見のためのサイレンス・インタバル４０２を割り当て、もって、無線デバイスは、ピア発見のために、サイレンス・インタバル４０２を利用できるようになる。ＷＷＡＮ内のＷＷＡＮ通信に対する干渉を引き起こすことを回避するために、無線デバイスは、図５において説明されたように、各グランドフレームにおいて、毎秒割り当てられるリソースのセットではなくて、ピア発見のためのサイレンス・インタバル４０２を利用しうる。
【００２４】
１つの構成では、基地局は、バックグラウンド干渉および雑音を測定するために、複数のサイレンス・インタバルのうちの１つのサイレンス・インタバルの少なくとも１つのフレームを利用する。例えば、基地局は、４つのサイレンス・インタバル毎の１つのサイレンス・インタバルの１つのフレーム４０４を利用しうる。このため、ＥＶ−ＤＯサイレンス・インタバル４０２は、リソースの第１のサブセット４０４と、リソースの第２のサブセット４０６Ａ１、４０６Ａ２、４０６Ａ４（ここでは、４０６Ａと称される）および４０６Ｂとを含みうる。リソースの第１のサブセット４０４は、雑音を測定するために、サービス提供基地局によって利用され、リソースの第２のサブセット４０６Ａ，４０６Ｂは、雑音を測定するために基地局によって利用され、ピア発見のために無線デバイスへ割り当てられる。このため、ピア発見のために、割り当てられたＥＶ−ＤＯサイレンス・インタバル・リソースを用いる無線デバイスは、８０ミリ秒の時間インタバルを有するリソース４０６Ａと、約５３．３３ミリ秒の時間インタバルを有するリソース４０６Ｂとを利用する。
【００２５】
図５に示すように、１つのマクロ・ブロックを含めるために、１つのピア発見バーストが考慮されうる。マクロ・ブロックは、メガフレーム内にピア発見リソースのすべてを含み、無線デバイス毎に１つのピア発見送信を割り当てる。一方、異なる２つのインタバルを有する２つのセットのリソースを利用する典型的な適応方法では、時間インタバルに基づいて、２つのリソースのセットのおのおのにおいて、異なる特性を有する異なる数のマクロ・ブロックが利用される。この適応方法は、８０ミリ秒の時間インタバルを有するリソース４０６Ａを利用する第１の方法と、５３．３３ミリ秒の時間インタバルを有するリソース４０８Ａを利用する第２の方法とを含む。これら２つの方法は、時分割多重（ＴＤＭ）方式で動作し、多くのハードウェア・モジュールの再使用を考慮し、異なるコンステレーション（すなわち、デジタル変調スキーム）および符号パンクチャを用いて、合計数が同じリソースが、異なる数のＥＶ−ＤＯバーストにマップされることを可能にする。
【００２６】
図７は、ピア発見チャネルの典型的な構造を例示する図解５００である。図７に図示されるように、８０ミリ秒の時間インタバルの場合、１つのピア発見バーストが、マクロ・ブロック０乃至マクロ・ブロック４の５つのマクロ・ブロックに分割されうる。これらおのおのは、２８のトーン／サブキャリアと、３２のセグメントとを含む。無線デバイスはおのおの、１つのＰＤＲＩＤに関連付けられ、おのおの、ピア発見信号を送信するためにマクロ・ブロックのおのおのにおいて１ブロック（すなわち、特定のサブキャリアにおいて特定のセグメント）を与えられる。よって、リソースは、８９６（２８＊３２）のＰＤＲＩＤをサポートする。このため、無線デバイスは、５つのマクロ・ブロックを用いて、各ピア発見バーストにおいて、５つのブロックが割り当てられる。各ブロックは、特定のサブキャリアにおいて、１６のＯＦＤＭシンボルを含んでいる。このような構成では、１４０の符号化されたビットを取得するために、７０の情報ビットが、１／２レート畳み込み符号で符号化されうる。１４０の符号化されたビットは、パンクチャされ、１３６のパンクチャされた符号化されたビットに低減される。１３６のパンクチャされた符号化されたビットは、直交フェーズ・シフト・キーイング（ＱＰＳＫ）コンステレーションを用いて、８０のリソース要素（特定のサブキャリアにおける１６のＯＦＤＭシンボル＊５つのマクロ・ブロック）へマップされうる。
【００２７】
図８は、ピア発見チャネルの典型的な構造を例示する図解８００である。図８に図示されるように、５３．３３ミリ秒の時間インタバルの場合、１つのピア発見バーストが、マクロ・ブロック０乃至マクロ・ブロック３の４つのマクロ・ブロックに分割されうる。これらのおのおのは、２８のトーン／サブキャリアと３２のセグメントとを含む。無線デバイスはおのおの、１つのＰＤＲＩＤに関連付けられ、おのおの、ピア発見信号を送信するために、マクロ・ブロックのおのおのにおいて１つのブロックを割り当てられる。よって、リソースは、８９６のＰＤＲＩＤをサポートする。そのため、無線デバイスは、４つのマクロ・ブロックを用いて、各ピア発見バーストにおいて４つのブロックを割り当てられる。各ブロックは、特定のサブキャリアにおいて１４のＯＦＤＭシンボルを含んでいる。このような構成では、７０の情報ビットが、１／２レート畳み込み符号で符号化され、１４０の符号化されたビットが得られる。１４０の符号化されたビットがパンクチャされ、１２６のパンクチャされた符号化されたビットへと低減される。１２６のパンクチャされた符号化されたビットは、８フェーズ・シフト・キーイング（８−ＰＳＫ）コンステレーションを用いて５６のリソース要素（特定のサブキャリアにおける１５のＯＦＤＭシンボル＊４つのマクロ・ブロック）へマップされうる。
【００２８】
図９は、典型的な方法を例示する図解７００である。図７および図８に関連して説明されたピア発見チャネル構造は、単なる典型例であり、その他の設計アーキテクチャが可能である。一般に、リソース設計アーキテクチャは、トーン／サブキャリアの数ＮＴ、セグメントの数ＮＳ、ブロックの数ＮＢ、ブロックのおのおのにおけるリソース要素の数Ｋによって特徴付けられうる。８０ミリ秒のインタバルの場合（設計Ｄ１）、ＮＳは３２、ＮＴは２８、ＮＢは５、およびＫは１６でありうる。５３．３３ミリ秒のインタバルの場合（設計Ｄ２）、ＮＳは３２、ＮＴは２８、ＮＢは４、およびＫは１４でありうる。ＮＳ、ＮＴ、ＮＢ、およびＫのその他の設定も可能である。さらに、ＮＳ、ＮＴ、ＮＢ、およびＫの値は、利用可能な特定の時間インタバルの長さ、および／または、利用可能なリソースのサイズに基づいて変動しうる。設計Ｄ１に関し、ＮＳ、ＮＴ、ＮＢ、およびＫのパラメータの前述した選択を仮定すると、７０の情報ビットが１４０の符号化されたビットに符号化され、これらビットのうちの４つがパンクチャされ、１３６のパンクチャされた符号化されたビットが、ＱＰＳＫコンステレーションを用いて、８０のリソース要素へマップされうる。設計Ｄ２に関し、ＮＳ、ＮＴ、ＮＢ、およびＫのパラメータの前述した選択を仮定すると、７０の情報ビットが１４０の符号化されたビットに符号化され、これらビットのうちの１４がパンクチャされ、１２６のパンクチャされた符号化されたビットが、８−ＰＳＫコンステレーションを用いて、５６のリソース要素へマップされうる。設計Ｄ２の５６のリソース要素は、設計Ｄ１のリソース（つまり、８０のリソース要素）の約２／３である。使用されている畳み込み符号は、設計Ｄ１および設計Ｄ２のためのパラメータを用いて、変わらないまま維持される。したがって、さらなるハードウェアは必ずしも必要とされない。さらに、ＰＤＲＩＤの数は同じままである。さらに、ＮＴは、設計Ｄ１および設計Ｄ２について同じであるので、高速フーリエ変換（ＦＦＴ）／逆ＦＦＴ（ＩＦＦＴ）モジュールが再使用されうる。しかしながら、前述したように、典型的な方法は、パラメータのいかなる特定の選択にも制限されない。
【００２９】
図１０は、無線通信の方法のフロー・チャート８００である。この方法は無線デバイスによって実行される。図１０に図示されるように、無線デバイスは、ピア発見のために利用可能なリソースを決定する（８０２）。これらリソースは、第１の時間インタバルを持つ第１のピア発見リソースと、第１の時間インタバルよりも短い第２の時間インタバルを持つ第２のピア発見リソースと、を含む（８０２）。例えば、これらリソースは、８０ミリ秒の時間インタバルを持つ第１のピア発見リソース４０６Ａと、約５３．３３ミリの第２の時間インタバルを持つ第２のピア発見リソース４０６Ｂと、を含みうる。１つの構成では、第１のピア発見リソースは、ＰＤＲＩＤの数に関連付けられたリソースを含み、第２のピア発見リソースは、同じ数のＰＤＲＩＤに関連付けられたリソースを含む。例えば、第１のピア発見リソースは、ＮＢ１個のマクロ・ブロック、ＮＴ１個のトーン／サブキャリア、およびＮＳ１個のセグメントを含みうる。各ＰＤＲＩＤが、ＮＢ１個のマクロ・ブロックのおのおのにおける１つのブロックに関連付けられていると仮定すると、第１のピア発見リソースは、ＮＴ１＊ＮＳ１個のＰＤＲＩＤに関連付けられたリソースを含みうる。さらに、第２のピア発見リソースは、ＮＢ２個のマクロ・ブロック、ＮＴ２個のトーン／サブキャリア、およびＮＳ２個のセグメントを含みうる。各ＰＤＲＩＤが、ＮＢ２個のマクロ・ブロックのおのおのにおける１つのブロックに関連付けられていると仮定すると、第２のピア発見リソースは、ＮＴ２＊ＮＳ２個のＰＤＲＩＤに関連付けられたリソースを含みうる。この構成では、ＮＴ１＊ＮＳ１＝ＮＴ２＊ＮＳ２である。
【００３０】
無線デバイスは、ピア発見データを、符号化されたピア発見データへ符号化し（８０４）、ピア発見リソースの第１のサブセットにおける送信のために、符号化されたデータの第１の数のビットをパンクチャし（８０６）、ピア発見リソースの第２のサブセットにおける送信のために、符号化されたデータからの第２の数のビットをパンクチャする（８０８）。第１の数のビットは、第２の数のビットよりも少ない（８０８）。例えば、無線デバイスは、７０のデータ・ビットを、１４０の符号化されたピア発見データ・ビットへ符号化しうる。無線デバイスが、ピア発見リソースの第１のサブセットを利用する場合、無線デバイスは、４ビットのデータをパンクチャし、無線デバイスが、ピア発見リソースの第２のサブセットを利用する場合、無線デバイスは、１４ビットのデータをパンクチャしうる。
【００３１】
無線デバイスは、符号化されたピア発見データを、第１のピア発見リソースの第１のサブセットにおける送信のために、第１の変調スキームを用いて変調し、符号化されたピア発見データを、第２のピア発見リソースの第２のサブセットにおける送信のために、第２の変調スキームを用いて変調する（８１０）。第１の変調スキームは、第２の変調スキームよりも低いデータ・レートを有する（８１０）。例えば、無線デバイスは、１３６ビットの、パンクチャされた符号化されたデータを、リソースのうちのリソースの第１のサブセット４０６Ａ１における送信のために、ＱＰＳＫ変調スキームを用いて変調しうる。リソースの第１のサブセットは、リソース４０６Ａ１におけるＮＢ個のマクロ・ブロックのおのおの（図７参照）における無線デバイスのＰＤＲＩＤに関連付けられたブロックを含む。さらに、無線デバイスは、１２６ビットの、パンクチャされた符号化されたデータを、リソースのうちのリソースの第２のサブセット４０６Ｂにおける送信のために、ＱＰＳＫ変調スキームよりも高いデータ・レートを有する８−ＰＳＫ変調スキームを用いて変調しうる。リソースの第２のサブセットは、リソース４０６ＢにおけるＮＢ個のマクロ・ブロックのおのおの（図８参照）における無線デバイスのＰＤＲＩＤに関連付けられたブロックを含む。無線デバイスは、パンクチャされた符号化されたデータを、ピア発見リソースの第１のサブセットにおける送信のために、第１の変調スキームを用いて、第１の数のリソース要素へマップする（８１２）。無線デバイスは、パンクチャされた符号化されたデータを、ピア発見リソースの第２のサブセットにおける送信のために、第２の変調スキームを用いて、第１の数のリソース要素よりも少ない第２の数のリソース要素へマップする（８１４）。第２の変調スキームは、第１の変調スキームよりも高いデータ・レートを有する。例えば、無線デバイスは、１３６ビットのパンクチャされた符号化されたデータを、リソース４０６Ａ１内の８０のリソース要素における送信のために、ＱＰＳＫを用いてマップし、１２６ビットのパンクチャされた符号化されたデータを、リソース４０６Ｂ内の５６のリソース要素における送信のために、８−ＰＳＫを用いてマップしうる。
【００３２】
無線デバイスは、ピア発見リソースの第１のサブセットと、ピア発見リソースの第２のサブセットとを介して、ピア発見信号を通信する（８１６）。ピア発見リソースの第２のサブセットは、ピア発見リソースの第１のサブセットよりも少ないリソース要素を含んでいる（８１６）。例えば、無線デバイスは、第１のサブセットであるリソース４０６Ａ１と、第２のサブセットであるリソース４０６Ｂとによって、ピア発見信号を通信しうる。図７に図示されるように、ピア発見リソースの第１のサブセットは、５つのマクロ・ブロックのおのおのに、１６のリソース要素を含みうる。図８に図示されるように、ピア発見リソースの第２のサブセットは、４つのマクロ・ブロックのおのおのに、１４のリソース要素を含みうる。ピア発見リソースの第１のサブセットおよび第２のサブセットは、複数のＰＤＲＩＤのうちの１つのＰＤＲＩＤに関連付けられうる。前述したように、ピア発見リソースの第２のサブセットにおけるデータは、ピア発見リソースの第１のサブセットにおけるデータよりも高いデータ・レートで通信されうる。さらに、第１のピア発見リソース（例えば、４０６Ａ）および第２のピア発見リソース（例えば、４０６Ｂ）はおのおの、同じ数のサブキャリアおよび同じ数のブロックを含む複数のマクロ・ブロックを含みうる。そのような構成では、第１のピア発見リソース４０６Ａは、第２のピア発見リソース４０６Ｂよりも多くのマクロ・ブロックを含みうる。第１のピア発見リソースのマクロ・ブロックのおけるブロックのおのおのは、第２のピア発見リソースのマクロ・ブロック内のブロックのおのおのよりも多くのリソース要素を含みうる。
【００３３】
図１１は、典型的な装置の機能を例示する概念ブロック図９００である。この装置は、無線デバイスである。この無線デバイスは、ピア発見のために利用可能なリソースを決定するモジュール９０２を含んでいる。これらリソースは、第１の時間インタバルを持つ第１のピア発見リソースと、第１の時間インタバルよりも短い第２の時間インタバルを持つ第２のピア発見リソースとを含む。さらに、無線デバイスは、第１のピア発見リソースのうちのピア発見リソースの第１のサブセット、および第２のピア発見リソースのうちのピア発見リソースの第２のサブセットを介してピア発見信号を通信するモジュール９０４を含んでいる。ピア発見リソースの第２のサブセットは、ピア発見リソースの第１のサブセットよりも少ないリソース要素を含んでいる。この装置１００は、前述したフロー・チャートにおけるステップのおのおのを実行する追加のモジュールを含みうる。このため、前述したフロー・チャートのおのおののステップは、このモジュールによって実行され、装置１００は、これらのモジュールのうちの１または複数を含みうる。
【００３４】
１つの構成では、図１に示すように、無線通信のための装置１００は無線デバイスであり、ピア発見のために利用可能なリソースを決定する手段を含む。これらリソースは、第１の時間インタバルを持つ第１のピア発見リソースと、第１の時間インタバルよりも短い第２の時間インタバルを持つ第２のピア発見リソースとを含む。装置１００はさらに、第１のピア発見リソースのうちのピア発見リソースの第１のサブセット、および第２のピア発見リソースのうちのピア発見リソースの第２のサブセットを介してピア発見信号を通信する手段を含んでいる。ピア発見リソースの第２のサブセットは、ピア発見リソースの第１のサブセットよりも少ないリソース要素を含んでいる。装置１００はさらに、符号化されたピア発見データを、ピア発見リソースの第１のサブセットにおける送信のために、第１の変調スキームを用いて変調し、符号化されたピア発見データを、ピア発見リソースの第２のサブセットにおける送信のために、第２の変調スキームを用いて変調する手段を備えうる。第１の変調スキームは、第２の変調スキームよりも低いデータ・レートを有する。装置１００はさらに、ピア発見データを、符号化されたピア発見データへ符号化する手段と、第１の数の符号化されたデータのビットを、ピア発見リソースの第１のサブセットにおける送信のためにパンクチャする手段と、第２の数の符号化されたデータのビットを、ピア発見リソースの第２のサブセットにおける送信のためにパンクチャする手段と、を含みうる。第１の数のビットは、第２の数のビット未満である。装置１００はさらに、パンクチャされた符号化されたデータを、ピア発見リソースの第１のサブセットにおける送信のために、第１の変調スキームを用いて、第１の数のリソース要素へマップする手段と、パンクチャされた符号化されたデータを、ピア発見リソースの第２のサブセットにおける送信のために、第２の変調スキームを用いて、第１の数のリソース要素よりも少ない第２の数のリソース要素へマップする手段と、を含みうる。第２の変調スキームは、第１の変調スキームよりも高いデータ・レートを有する。前述された手段は、前述された手段によって詳述された機能を実行するように構成された処理システム１１４である。
【００３５】
開示された処理のステップの具体的な順序または階層は、典型的なアプローチの例示であることが理解される。設計選択に基づいて、これら処理におけるステップの具体的な順序または階層は、再構成されうることが理解される。同伴する方法請求項は、さまざまなステップの要素を、サンプル順で示しており、示された具体的な順序または階層に限定されないことが意味される。
【００３６】
前述された記載は、いかなる当業者であっても、ここで開示されたさまざまな態様を実現できるように提供される。これらの態様に対するさまざまな変形例は、当業者に容易に明らかになり、本明細書に定義された一般的な原理は、他の態様にも適用可能である。したがって、特許請求の範囲は、本明細書に示された態様に限定されず、請求項の文言と首尾一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。当業者に周知であるか、または、後に周知になるべき本開示を通じて記載されたさまざまな態様の要素に対するすべての構造的および機能的な等価物が、参照によって本明細書に明確に組み込まれており、請求項に含められていると意図される。さらに、本明細書で開示されたいずれも、このような開示が請求項において明示的に述べられているかに関わらず、公衆に対して放棄されたものとは意図されていない。これら請求項要素が、「〜する手段」という文言を用いて明確に記載されていないのであれば、あるいは、方法請求項の場合に、「〜するステップ」という文言を用いて記載されていないのであれば、いずれの請求項要素も、３５Ｕ．Ｓ．Ｃ第１１２条第６パラグラフの下で解釈されるべきではない。
以下に、本願出願の当初の特許請求の範囲に記載された発明を付記する。
［Ｃ１］  無線通信の方法であって、
ピア発見のために利用可能なリソースを決定することと、ここで、これらリソースは、第１の時間インタバルを持つ第１のピア発見リソースと、前記第１の時間インタバルよりも短い第２の時間インタバルを持つ第２のピア発見リソースとを備える、
前記第１のピア発見リソースのうちのピア発見リソースの第１のサブセット、および前記第２のピア発見リソースのうちのピア発見リソースの第２のサブセットを介してピア発見信号を通信することと、ここで、前記ピア発見リソースの第２のサブセットは、前記ピア発見リソースの第１のサブセットよりも少ないリソース要素を備える、
を備える方法。
［Ｃ２］  前記第１のピア発見リソースは、ピア発見リソース識別子（ＰＤＲＩＤ）の数に関連付けられたリソースを備え、
前記第２のピア発見リソースは、前記ＰＤＲＩＤと同じ数に関連付けられたリソースを備え、
前記ピア発見リソースの第１のサブセット、および前記ピア発見リソースの第２のサブセットは、前記ＰＤＲＩＤのうちの１つのＰＤＲＩＤに関連付けられる、Ｃ１に記載の方法。
［Ｃ３］  前記ピア発見リソースの第２のサブセットにおけるデータは、前記ピア発見リソースの第１のサブセットにおけるデータよりも高いデータ・レートで通信される、Ｃ１に記載の方法。
［Ｃ４］  符号化されたピア発見データを、前記ピア発見リソースの第１のサブセットにおける送信のために、第１の変調スキームを用いて、符号化されたピア発見データを、前記ピア発見リソースの第２のサブセットにおける送信のために、第２の変調スキームを用いて変調することをさらに備え、
前記第１の変調スキームは、前記第２の変調スキームよりも低いデータ・レートを有する、Ｃ３に記載の方法。
［Ｃ５］  ピア発見データを、符号化されたピア発見データへ符号化することと、
前記符号化されたデータの第１の数のビットを、前記ピア発見リソースの第１のサブセットにおける送信のためにパンクチャすることと、
前記符号化されたデータからの第２の数のビットを、前記ピア発見リソースの第２のサブセットにおける送信のためにパンクチャすることと、をさらに備え、
前記ビットの第１の数は、前記第２の数よりも少ない、Ｃ１に記載の方法。
［Ｃ６］  前記パンクチャされた符号化されたデータを、前記ピア発見リソースの第１のサブセットにおける送信のために、第１の変調スキームを用いて、第１の数のリソース要素へマップすることと、
前記パンクチャされた符号化されたデータを、前記ピア発見リソースの第２のサブセットにおける送信のために、第２の変調スキームを用いて、前記第１の数よりも少ない第２の数のリソース要素へマップすることと、をさらに備え、
前記第２の変調スキームは、前記第１の変調スキームよりも高いデータ・レートを有する、Ｃ５に記載の方法。
［Ｃ７］  前記第１のピア発見リソースおよび前記第２のピア発見リソースは、複数のマクロ・ブロックを備え、
前記マクロ・ブロックのおのおのは、同じ数のサブキャリアと、同じ数のブロックとを備える、Ｃ１に記載の方法。
［Ｃ８］  前記第１のピア発見リソースは、前記第２のピア発見リソースよりも多くのマクロ・ブロックを備える、Ｃ７に記載の方法。
［Ｃ９］  前記第１のピア発見リソースのマクロ・ブロックにおけるブロックのおのおのは、前記第２のピア発見リソースのマクロ・ブロックにおけるブロックのおのおのよりも多くのリソース要素を備える、Ｃ７に記載の方法。
［Ｃ１０］  無線通信のための装置であって、
ピア発見のために利用可能なリソースを決定する手段と、ここで、これらリソースは、第１の時間インタバルを持つ第１のピア発見リソースと、前記第１の時間インタバルよりも短い第２の時間インタバルを持つ第２のピア発見リソースとを備える、
前記第１のピア発見リソースのうちのピア発見リソースの第１のサブセット、および前記第２のピア発見リソースのうちのピア発見リソースの第２のサブセットを介してピア発見信号を通信する手段と、ここで、前記ピア発見リソースの第２のサブセットは、前記ピア発見リソースの第１のサブセットよりも少ないリソース要素を備える、
を備える装置。
［Ｃ１１］  前記第１のピア発見リソースは、ピア発見リソース識別子（ＰＤＲＩＤ）の数に関連付けられたリソースを備え、
前記第２のピア発見リソースは、前記ＰＤＲＩＤと同じ数に関連付けられたリソースを備え、
前記ピア発見リソースの第１のサブセット、および前記ピア発見リソースの第２のサブセットは、前記ＰＤＲＩＤのうちの１つのＰＤＲＩＤに関連付けられる、Ｃ１０に記載の装置。
［Ｃ１２］  前記ピア発見リソースの第２のサブセットにおけるデータは、前記ピア発見リソースの第１のサブセットにおけるデータよりも高いデータ・レートで通信される、Ｃ１０に記載の装置。
［Ｃ１３］  符号化されたピア発見データを、前記ピア発見リソースの第１のサブセットにおける送信のために、第１の変調スキームを用いて、符号化されたピア発見データを、前記ピア発見リソースの第２のサブセットにおける送信のために、第２の変調スキームを用いて変調する手段をさらに備え、
前記第１の変調スキームは、前記第２の変調スキームよりも低いデータ・レートを有する、Ｃ１２に記載の装置。
［Ｃ１４］  ピア発見データを、符号化されたピア発見データへ符号化する手段と、
前記符号化されたデータの第１の数のビットを、前記ピア発見リソースの第１のサブセットにおける送信のためにパンクチャする手段と、
前記符号化されたデータからの第２の数のビットを、前記ピア発見リソースの第２のサブセットにおける送信のためにパンクチャする手段と、をさらに備え、
前記ビットの第１の数は、前記第２の数よりも少ない、Ｃ１０に記載の装置。
［Ｃ１５］  前記パンクチャされた符号化されたデータを、前記ピア発見リソースの第１のサブセットにおける送信のために、第１の変調スキームを用いて、第１の数のリソース要素へマップする手段と、
前記パンクチャされた符号化されたデータを、前記ピア発見リソースの第２のサブセットにおける送信のために、第２の変調スキームを用いて、前記第１の数よりも少ない第２の数のリソース要素へマップする手段と、をさらに備え、
前記第２の変調スキームは、前記第１の変調スキームよりも高いデータ・レートを有する、Ｃ１４に記載の装置。
［Ｃ１６］  前記第１のピア発見リソースおよび前記第２のピア発見リソースは、複数のマクロ・ブロックを備え、
前記マクロ・ブロックのおのおのは、同じ数のサブキャリアと、同じ数のブロックとを備える、Ｃ１０に記載の装置。
［Ｃ１７］  前記第１のピア発見リソースは、前記第２のピア発見リソースよりも多くのマクロ・ブロックを備える、Ｃ１６に記載の装置。
［Ｃ１８］  前記第１のピア発見リソースのマクロ・ブロックにおけるブロックのおのおのは、前記第２のピア発見リソースのマクロ・ブロックにおけるブロックのおのおのよりも多くのリソース要素を備える、Ｃ１６に記載の装置。
［Ｃ１９］  コンピュータ・プログラム製品であって、
ピア発見のために利用可能なリソースを決定することと、ここで、これらリソースは、第１の時間インタバルを持つ第１のピア発見リソースと、前記第１の時間インタバルよりも短い第２の時間インタバルを持つ第２のピア発見リソースとを備える、
前記第１のピア発見リソースのうちのピア発見リソースの第１のサブセット、および前記第２のピア発見リソースのうちのピア発見リソースの第２のサブセットを介してピア発見信号を通信することと、ここで、前記ピア発見リソースの第２のサブセットは、前記ピア発見リソースの第１のサブセットよりも少ないリソース要素を備える、
のためのコードを備えたコンピュータ読取可能な媒体を備える、コンピュータ・プログラム製品。
［Ｃ２０］  前記第１のピア発見リソースは、ピア発見リソース識別子（ＰＤＲＩＤ）の数に関連付けられたリソースを備え、
前記第２のピア発見リソースは、前記ＰＤＲＩＤと同じ数に関連付けられたリソースを備え、
前記ピア発見リソースの第１のサブセット、および前記ピア発見リソースの第２のサブセットは、前記ＰＤＲＩＤのうちの１つのＰＤＲＩＤに関連付けられる、Ｃ１９に記載のコンピュータ・プログラム製品。
［Ｃ２１］  前記ピア発見リソースの第２のサブセットにおけるデータは、前記ピア発見リソースの第１のサブセットにおけるデータよりも高いデータ・レートで通信される、Ｃ１９に記載のコンピュータ・プログラム製品。
［Ｃ２２］  前記コンピュータ読取可能な媒体はさらに、符号化されたピア発見データを、前記ピア発見リソースの第１のサブセットにおける送信のために、第１の変調スキームを用いて、符号化されたピア発見データを、前記ピア発見リソースの第２のサブセットにおける送信のために、第２の変調スキームを用いて変調するためのコードを備え、
前記第１の変調スキームは、前記第２の変調スキームよりも低いデータ・レートを有する、Ｃ２１に記載のコンピュータ・プログラム製品。
［Ｃ２３］  前記コンピュータ読取可能な媒体はさらに、
ピア発見データを、符号化されたピア発見データへ符号化することと、
前記符号化されたデータの第１の数のビットを、前記ピア発見リソースの第１のサブセットにおける送信のためにパンクチャすることと、
前記符号化されたデータからの第２の数のビットを、前記ピア発見リソースの第２のサブセットにおける送信のためにパンクチャすることと、のためのコードを備え、
前記ビットの第１の数は、前記第２の数よりも少ない、Ｃ１９に記載のコンピュータ・プログラム製品。
［Ｃ２４］  前記コンピュータ読取可能な媒体はさらに、
前記パンクチャされた符号化されたデータを、前記ピア発見リソースの第１のサブセットにおける送信のために、第１の変調スキームを用いて、第１の数のリソース要素へマップすることと、
前記パンクチャされた符号化されたデータを、前記ピア発見リソースの第２のサブセットにおける送信のために、第２の変調スキームを用いて、前記第１の数よりも少ない第２の数のリソース要素へマップすることと、のためのコードを備え、
前記第２の変調スキームは、前記第１の変調スキームよりも高いデータ・レートを有する、Ｃ２３に記載のコンピュータ・プログラム製品。
［Ｃ２５］  前記第１のピア発見リソースおよび前記第２のピア発見リソースは、複数のマクロ・ブロックを備え、
前記マクロ・ブロックのおのおのは、同じ数のサブキャリアと、同じ数のブロックとを備える、Ｃ１９に記載のコンピュータ・プログラム製品。
［Ｃ２６］  前記第１のピア発見リソースは、前記第２のピア発見リソースよりも多くのマクロ・ブロックを備える、Ｃ２５に記載のコンピュータ・プログラム製品。
［Ｃ２７］  前記第１のピア発見リソースのマクロ・ブロックにおけるブロックのおのおのは、前記第２のピア発見リソースのマクロ・ブロックにおけるブロックのおのおのよりも多くのリソース要素を備える、Ｃ２５に記載のコンピュータ・プログラム製品。
［Ｃ２８］  無線通信のための装置であって、
ピア発見のために利用可能なリソースを決定し、ここで、これらリソースは、第１の時間インタバルを持つ第１のピア発見リソースと、前記第１の時間インタバルよりも短い第２の時間インタバルを持つ第２のピア発見リソースとを備える、
前記第１のピア発見リソースのうちのピア発見リソースの第１のサブセット、および前記第２のピア発見リソースのうちのピア発見リソースの第２のサブセットを介してピア発見信号を通信し、ここで、前記ピア発見リソースの第２のサブセットは、前記ピア発見リソースの第１のサブセットよりも少ないリソース要素を備える、
ように構成された処理システムを備える、装置。
［Ｃ２９］  前記第１のピア発見リソースは、ピア発見リソース識別子（ＰＤＲＩＤ）の数に関連付けられたリソースを備え、
前記第２のピア発見リソースは、前記ＰＤＲＩＤと同じ数に関連付けられたリソースを備え、
前記ピア発見リソースの第１のサブセット、および前記ピア発見リソースの第２のサブセットは、前記ＰＤＲＩＤのうちの１つのＰＤＲＩＤに関連付けられる、Ｃ２８に記載の装置。
［Ｃ３０］  前記ピア発見リソースの第２のサブセットにおけるデータは、前記ピア発見リソースの第１のサブセットにおけるデータよりも高いデータ・レートで通信される、Ｃ２８に記載の装置。
［Ｃ３１］  前記処理システムはさらに、符号化されたピア発見データを、前記ピア発見リソースの第１のサブセットにおける送信のために、第１の変調スキームを用いて、符号化されたピア発見データを、前記ピア発見リソースの第２のサブセットにおける送信のために、第２の変調スキームを用いて変調するように構成され、
前記第１の変調スキームは、前記第２の変調スキームよりも低いデータ・レートを有する、Ｃ３０に記載の装置。
［Ｃ３２］  前記処理システムはさらに、
ピア発見データを、符号化されたピア発見データへ符号化し、
前記符号化されたデータの第１の数のビットを、前記ピア発見リソースの第１のサブセットにおける送信のためにパンクチャし、
前記符号化されたデータからの第２の数のビットを、前記ピア発見リソースの第２のサブセットにおける送信のためにパンクチャする、ように構成され、
前記ビットの第１の数は、前記第２の数よりも少ない、Ｃ２８に記載の装置。
［Ｃ３３］  前記処理システムはさらに、
前記パンクチャされた符号化されたデータを、前記ピア発見リソースの第１のサブセットにおける送信のために、第１の変調スキームを用いて、第１の数のリソース要素へマップし、
前記パンクチャされた符号化されたデータを、前記ピア発見リソースの第２のサブセットにおける送信のために、第２の変調スキームを用いて、前記第１の数よりも少ない第２の数のリソース要素へマップする、ように構成され、
前記第２の変調スキームは、前記第１の変調スキームよりも高いデータ・レートを有する、Ｃ３２に記載の装置。
［Ｃ３４］  前記第１のピア発見リソースおよび前記第２のピア発見リソースは、複数のマクロ・ブロックを備え、
前記マクロ・ブロックのおのおのは、同じ数のサブキャリアと、同じ数のブロックとを備える、Ｃ２８に記載の装置。
［Ｃ３５］  前記第１のピア発見リソースは、前記第２のピア発見リソースよりも多くのマクロ・ブロックを備える、Ｃ３４に記載の装置。
［Ｃ３６］  前記第１のピア発見リソースのマクロ・ブロックにおけるブロックのおのおのは、前記第２のピア発見リソースのマクロ・ブロックにおけるブロックのおのおのよりも多くのリソース要素を備える、Ｃ３４に記載の装置。
【図１】
0005763264.tif 000002
【図２】
0005763264.tif 000003
【図３】
0005763264.tif 000004
【図４】
0005763264.tif 000005
【図５】
0005763264.tif 000006
【図６】
0005763264.tif 000007
【図７】
0005763264.tif 000008
【図８】
0005763264.tif 000009
【図９】
0005763264.tif 000010
【図１０】
0005763264.tif 000011
【図１１】
0005763264.tif 000012